(57)【要約】【課題】ラッチが扉の側端面内に没入しなくても、ラッチとラッチ受けとの係合を解除して扉を回動させることができるラッチ受けを提供する。【解決手段】扉１を閉じる際にラッチ２が移動する方向を前方とする。ラッチ２を没入させる当接部５と、突出したラッチ２が収容されるラッチ収容空間６と、を備える。縦片４１と上片４２と下片４３とで後方に開口する側面視略コ字状をした受け本体４を形成し、前記上片４２又は下片４３のうち、一方に当接部５の上端部又は下端部の一端部５１を枢支し、他方に当接部５の他端部５２を後方に回動可能とし且つ着脱自在に係止して、側面視略ロ字状としてその内部にラッチ収容空間６を形成する。前記上片４２又は下片４３の他方と当接部５の他端部５２との係止部７を、当接部５の他端部５２の移動方向に略直交する方向に凹凸嵌合するように形成した。【選択図】図１
2009263987.tif 000002
【特許請求の範囲】
【請求項１】
一端が枢支された扉の他端の側端面に突没自在にラッチを設け、扉を閉じる際にラッチが移動する方向を前方とし、ラッチの前面を突出先端側へ行く程後方に位置する傾斜面とし、扉を閉じる際にラッチの前面が後方より当接してラッチを没入させる当接部と、ラッチが前記当接部よりも前方に移動した時に当接部との当接が終わって突出したラッチが収容されるラッチ収容空間と、を備え、ラッチ収容空間に収容されたラッチの後面が当接部の前面と当接して係合することで扉が開くのを阻むラッチ受けであって、縦片と上片と下片とで後方に開口する側面視略コ字状をした受け本体を形成し、前記上片又は下片の一方に当接部の上端部又は下端部のうちの一端部を枢支すると共に、上片又は下片の他方に当接部の他端部を後方に回動可能とし且つ着脱自在に係止して、側面視略ロ字状としてその内部にラッチ収容空間を形成し、前記上片又は下片の他方と当接部の他端部との係止部を、当接部の他端部の移動方向に略直交する方向に凹凸嵌合するように形成して成ることを特徴とするラッチ受け。
【発明の詳細な説明】
【技術分野】
【０００１】
本発明は、扉のラッチを受けるラッチ受けに関するものである。
【背景技術】
【０００２】
従来より、扉の側端面にラッチを設け、扉枠にラッチ受けを設ける構造が良く知られている（例えば特許文献１参照）。
【０００３】
上記のような扉においては、扉のラッチ近傍に設けてあるノブを回したり、その他の形態の操作部を操作したり、あるいはモーター駆動により、扉の側端面から突出しラッチ受けに収容され係合されているラッチを扉の側端面内に没入させ、ラッチとラッチ受けとの係合を解除して、扉を開くものである。
【特許文献１】特開平９−１７７３８８号公報
【発明の開示】
【発明が解決しようとする課題】
【０００４】
上記のような扉は、ノブ等の操作部が壊れたり、モーターやその他の動力伝達部が故障したりして、ラッチが没入しなくなると、ラッチとラッチ受けとの係合を解除することができず、扉を開けることができなくなる。このため、扉を開けるには、扉ごと取り外さなければならず、この作業が重労働で子供や高齢者には難しいものであった。
【０００５】
本発明は上記従来の問題点に鑑みて発明したものであって、その目的とするところは、ラッチが扉の側端面内に没入しなくても、ラッチとラッチ受けとの係合を解除して扉を回動させることができるラッチ受けを提供することを課題とするものである。
【課題を解決するための手段】
【０００６】
上記課題を解決するために請求項１に係る発明は、一端が枢支された扉１の他端の側端面１１に突没自在にラッチ２を設け、扉１を閉じる際にラッチ２が移動する方向を前方とし、ラッチ２の前面２１を突出先端側へ行く程後方に位置する傾斜面とし、扉１を閉じる際にラッチ２の前面２１が後方より当接してラッチ２を没入させる当接部５と、ラッチ２が前記当接部５よりも前方に移動した時に当接部５との当接が終わって突出したラッチ２が収容されるラッチ収容空間６と、を備え、ラッチ収容空間６に収容されたラッチ２の後面２２が当接部５の前面２１と当接して係合することで扉１が開くのを阻むラッチ受け３であって、縦片４１と上片４２と下片４３とで後方に開口する側面視略コ字状をした受け本体４を形成し、前記上片４２又は下片４３の一方に当接部５の上端部又は下端部のうちの一端部５１を枢支すると共に、上片４２又は下片４３の他方に当接部５の他端部５２を後方に回動可能とし且つ着脱自在に係止して、側面視略ロ字状としてその内部にラッチ収容空間６を形成し、前記上片４２又は下片４３の他方と当接部５の他端部５２との係止部７を、当接部５の他端部５２の移動方向に略直交する方向に凹凸嵌合するように形成して成ることを特徴とするものである。
【０００７】
このような構成とすることで、ラッチ２が没入しなくなっても、扉１を開ける方向（即ち後方）に強い力を掛けると凹凸嵌合が解除されて当接部５が後方へ回動することで、ラッチ収容空間６が後方に開放され、ラッチ２が後方に移動可能となって、扉１を開くことができる。
【発明の効果】
【０００８】
本発明にあっては、扉を取り外すという重労働を行うことなく扉を開けることができて、子供や高齢者の力の弱い人でも扉を開けることが可能となり、また、ラッチ及びラッチ受けや扉が破壊されないため、取り替え不要で何度でも使用することができる。
【発明を実施するための最良の形態】
【０００９】
以下、本発明のラッチ受けの一実施形態について図１乃至図３に基づいて説明する。本実施形態では、扉を浴室用の扉として説明するが、特に限定されない。
【００１０】
扉１は、脱衣室と浴室との間の壁Ｗの出入口に設けられる。浴室は、建物の浴室となるスペースに浴室ユニットを設置して構成してもよく、この場合には浴室ユニットの側壁に出入口が形成される。壁Ｗには、出入口となる正面視矩形状をした開口が形成され、この開口の内端縁に戸枠８が設けられて戸枠８内が出入口となるが、必ずしも戸枠８を必要としないものである。そして、出入口の左右の一端に扉１の一端（以下、枢支端という）を丁番等の枢支手段により枢支し、扉１の他端（以下、回動端という）を前記枢支端を中心にして回動自在としている。また、戸枠８には、扉１が一方向へのみ開いてその反対方向への移動を規制する戸当たり８１が設けてある。
【００１１】
扉１は、回動端が壁Ｗに近づく方に回動し、戸枠８内に収容されて戸当たりに当接して、閉じた状態となる。扉１が閉じた状態で、扉１の回動端の側端面１１は戸枠８に近接して対向するが、この互いに対向する扉１の側端面１１と戸枠８とにそれぞれラッチ２とラッチ受け３とを設ける。
【００１２】
ラッチ２は、扉１の回動端の側端面１１から突没自在に設けてある一般的なものである。以下においては便宜上、扉１が閉じる際にラッチ２、即ち扉１の回動端が移動する方向を前方として説明する。
【００１３】
ラッチ２は、突出方向に付勢された状態で側端面１１に設けられ、通常の状態では突出している。このラッチ２は、前面２１が突出先端側へ行く程後方に位置する傾斜面となっている。そして、ラッチ２に没入方向に力が掛かると側端面１１内に没入され、前記力がなくなると付勢力により再び突出するのであるが、前面２１が前述した傾斜面となっているため、ラッチ２の前面２１に後方向きの力が掛かってもラッチ２は没入する。またラッチ２は、扉１の前面及び後面のラッチ２近傍に設けてあるノブやハンドルレバー等の操作部（図示せず）を操作することでも没入させることができ、また、モーター駆動により没入させるものでもよい。
【００１４】
ラッチ受け３は、戸枠８に形成されるもので、扉１を閉じる際にラッチ２の前面２１が後方より当接してラッチ２を没入させる当接部５と、ラッチ２が前記当接部５よりも前方に移動した時に当接部５との当接が終わって突出したラッチ２が収容されるラッチ収容空間６と、を備えている。そして、ラッチ収容空間６に収容されたラッチ２の後面２２が当接部５の前面と当接して係合することで、扉１が開くのを阻むものである。扉１を開けるには、上記操作部を操作してラッチ２を扉１の側端面１１内に没入させ、ラッチ受け３の当接部５との係合を解除することで行う。
【００１５】
本実施形態ではラッチ受け３は、縦片４１と該縦片４１の上端及び下端から一側方に突出する上片４２及び下片４３とからなり後方に開口する側面視略コ字状をした受け本体４と、上片４２と下片４３との間に架設される上記当接部５とで構成される。当接部５は上端部又は下端部のうちの一端部５１（本実施形態では下端部）が、上片４２又は下片４３の一方（本実施形態では下片４３）に枢支されて、枢支されていない他端部５２が回動自在となり、該他端部５２が上片４２又は下片４３の他方に係止されるもので、係止された時にラッチ受け３は側面視略ロ字状となり、その内部がラッチ収容空間６となる。受け本体４の縦片４１、上片４２、下片４３は、正面視において左右に幅を有しており、上片４２と下片４３の中央部に切欠４４が形成してあり、前記切欠４４に当接部５の上端部と下端部が位置して、上端部又は下端部の一方がピン５０により上片４２又は下片４３の一方に枢支されると共に他方同士が係止される。この受け本体４は、貫通形成した挿通孔４５にビス等の固着具４６を挿通させて、戸枠８の裏面側に配置したプレート９０に固着具４６を固着して戸枠８及びラッチ受け３を挟持して取り付ける。
【００１６】
また本発明は、前記上片４２又は下片４３の他方と当接部５の他端部５２との係止部７を、当接部５の他端部５２の移動方向に略直交する方向に凹凸嵌合するように形成するもので、本実施形態では上片４２の切欠４４の内側の対向する両表面に曲面からなる凸部７１を形成すると共に、前記凸部７１に対応する当接部５の上端部の両表面に前記凸部７１を収容可能な凹部７２を形成してある。前記凸部７１及び凹部７２の凹凸嵌合により、当接部５の上端部が上片４２に着脱自在に係止されるもので、当接部５に後方向きの強い力が掛かると、凹凸嵌合が解除されて当接部５の上端部が後方に回動する。なお、本実施形態では上片４２に凸部７１を形成すると共に当接部５に凹部７２を形成してあるが、上片４２に凹部７２を形成すると共に当接部５に凸部７１を形成してもよい。また、凹凸嵌合を解除するための強い力は、通常の扉１の開け閉めに要する力の数倍（２〜５倍）から１０倍程度とするが、特に限定されない。
【００１７】
上記のようなラッチ受け３においては、ラッチ２を没入させる操作部が壊れたり、モーターやその他の動力伝達部が故障したりして、ラッチ２が没入しなくなっても、扉１を開ける方向（即ち後方）に強い力を掛けると凹凸嵌合が解除され、ラッチ２の後面２２が当接部５の前面を後方に押圧して、当接部５の上端部が後方に回動する。すると、ラッチ２の後方への移動を規制する当接部５が位置していた部分を介して、ラッチ収容空間６が後方に開放され、ラッチ収容空間６に収容されていたラッチ２が後方に移動可能となって、扉１が開かれるものである。
【００１８】
このため本発明のラッチ受け３にあっては、ラッチ２が没入しなくなっても、扉１を取り外すという重労働を行うことなく扉１を開けることができて、子供や高齢者の力の弱い人でも扉１を開けることが可能となる。また、ラッチ２及びラッチ受け３、あるいは扉１や戸枠８が破壊されないため、取り替え不要で何度でも使用することができる。
【００１９】
また、ラッチ受け３の他例として、図４に示すように、上片４２に貫通形成した挿通孔７３と、当接部５の他端部５２に貫通形成した挿通孔７４とに、化粧ネジ７５を挿通させて固着してもよい。上片４２の図４中右側の挿通孔７３は雌ねじとなっている。
【００２０】
このように、凹凸嵌合する係止部７の代わりに本構成を採用することで、強い力で扉１を開けなくても、容易に扉１を開けることが可能となる。
【図面の簡単な説明】
【００２１】
【図１】本発明の一実施形態において、当接部が回動してラッチ収容部が開放された状態の要部斜視図である。
【図２】同上において、ラッチ収容部が開放されていない状態の要部斜視図である。
【図３】同上における要部の平断面図である。
【図４】他例における戸枠側の要部の平断面図である。
【符号の説明】
【００２２】
１    扉
１１  側端面
２    ラッチ
２１  前面
２２  後面
３    ラッチ受け
４    受け本体
４１  縦片
４２  上片
４３  下片
５    当接部
５１  一端部
５２  他端部
６    ラッチ収容空間
７    係止部
【図１】
2009263987.tif 000003
【図２】
2009263987.tif 000004
【図３】
2009263987.tif 000005
【図４】
2009263987.tif 000006